(57)【要約】【課題】 自動掃除されるフィルタ部を含む集塵装置がコンパクトで、集塵装置にて収集されたゴミの除去が容易であり、構造が単純で組立工程が簡略化された真空掃除機を提供する。【解決手段】 本発明の真空掃除機は、掃除機本体４０と、前記掃除機本体４０に取り付けられ真空を発生させる吸入源３０と、前記掃除機本体４０に取り付けられ外部空気からゴミを分離し捕捉するフィルタ部２００を備えた集塵装置３００と、前記フィルタ部２００に付着しているゴミを払い落とすよう前記フィルタ部２００を選択的に振動させる振動ユニット４００と、を含み、前記フィルタ部２００は、傾斜面を有する支持体２１０と、該支持体２１０の傾斜面に斜めに設けられたフィルタ部材２２０と、前記支持体２１０と前記フィルタ部材２２０に囲まれたゴミ格納空間２５０と、を含む。【選択図】   図１
2007111504.tif 000002
【特許請求の範囲】
【請求項１】
掃除機本体と、
前記本体に取り付けられ真空を発生させる吸入源と、
前記本体に取り付けられ外部空気からゴミを分離し捕捉するフィルタ部を備えた集塵装置と、
前記フィルタ部に粘着しているゴミを払い落とすよう前記フィルタ部を選択的に振動させる振動ユニットと、を含み、
前記フィルタ部は、
傾斜面を有する支持体と、
該支持体の傾斜面に斜めに設けられたフィルタ部材と、
前記支持体と前記フィルタ部材に囲まれたゴミ格納空間と、
を含むことを特徴とする真空掃除機。
【請求項２】
前記集塵装置は、ゴミの含まれた外部空気を回転させゴミを分離する、少なくとも１つのサイクロンを含むサイクロン部を更に含むことを特徴とする請求項１に記載の真空掃除機。
【請求項３】
前記フィルタ部の底面は、前記サイクロン部の底面とほぼ同一平面上に位置し、前記サイクロン部の最上面と前記フィルタ部の最上面の高さはほぼ同一であることを特徴とする請求項２に記載の真空掃除機。
【請求項４】
前記フィルタ部は、前記サイクロン部の後面に前記サイクロン部と一体成型されることを特徴とする請求項２に記載の真空掃除機。
【請求項５】
前記フィルタ部は、前記ゴミ格納空間に格納されたゴミが再飛散してサイクロン部に流出されることを抑えるべく、前記ゴミ格納空間の内面に設けられたゴミ飛散防止部材を更に含むことを特徴とする請求項１に記載の真空掃除機。
【請求項６】
前記ゴミ飛散防止部材は、少なくとも一部が前記ゴミ格納空間の入口の一部を塞ぐ形状で形成されることを特徴とする請求項５に記載の真空掃除機。
【請求項７】
前記振動ユニットは、
前記掃除機本体の内部に形成される装着部に固定されるソレノイド本体と、
前記ソレノイド本体から前記フィルタ部材に向って延び、前記ソレノイド本体の駆動時に前記フィルタ部材と接触／離隔される方向に往復移動する打撃部と、
を含むことを特徴とする請求項１ないし６のいずれかに記載の真空掃除機。
【請求項８】
前記フィルタ部材は、少なくとも１つのリブを含み、前記打撃部は前記リブを打撃することによって前記フィルタ部材を振動させることを特徴とする請求項７に記載の真空掃除機。
【請求項９】
前記振動ユニットの駆動周期および前記打撃部の往復速度を制御すべく、前記掃除機本体に内蔵される制御部を更に含むことを特徴とする請求項７に記載の真空掃除機。
【請求項１０】
集塵装置は、
少なくとも１つのサイクロンと、
前記サイクロンで分離されたゴミが収容されるゴミ回収室と、
該ゴミ回収室で収容されたゴミの除去が可能になるよう前記集塵装置の一方を開閉するドアユニットと、を含み、
前記ドアユニットが開放する時、前記ゴミ回収室と前記ゴミ格納空間が共に開放されることを特徴とする請求項１に記載の真空掃除機。
【発明の詳細な説明】
【技術分野】
【０００１】
本発明は、真空掃除機の集塵装置に関し、詳細には真空掃除機の外部に排出される空気中に含まれたゴミを捕捉するためのフィルタ部を備えた真空掃除機に関する。
【背景技術】
【０００２】
一般に、真空掃除機は、真空モータ（吸入源）で真空力を発生させ、これによりゴミの含まれた外部空気は掃除機本体に設けられた集塵装置に流入する。また真空掃除機は、流入したゴミの含まれた外部空気からゴミを分離するために、フィルタ部材を含んだフィルタ部を備える。特に、ゴミの含まれた空気がそのまま吸入源に流入する場合、真空モータの損傷を招くため、ほとんどの真空掃除機にはゴミを捕捉するフィルタ部が備えられている。
【０００３】
フィルタ部に設けられたフィルタ部材は、いろいろな材質や形状を有するが、最近では、微細ゴミを効果的に捕捉するためにジグザグ形状、あるいは波形状のフィルタ部材が多く使用されている。
【０００４】
ユーザは、フィルタが効果的に捕捉できるように、周期的に掃除機本体内に設けられたフィルタ部材を掃除しなければならない。しかしながら、フィルタの掃除中、ユーザの服や手にゴミがつくなどの不具合が生じるので、その不具合を解消するためにフィルタ部材の掃除に対する研究がなされつつある。
【０００５】
係るユーザの不具合を解消するため、掃除機のコードリールを巻くときあるいは解くとき、これと連動してフィルタ部材に振動を与えることによってフィルタ部材を掃除する掃除機が開発されたが、掃除開始前にコードリールを掃除機本体から外したり、掃除終了後にコードリールを掃除機本体に設けられたドラムに巻いたりするときしか掃除を行うことができないことから、掃除中フィルタが詰まった場合に掃除し難い問題やコードリールの動きとフィルタ部材間の連動構造が複雑である問題点を抱えている。
【０００６】
これを改善するため、日本特許公開番号特開２００４−１２１６２１号には、フィルタ部材を斜めに設け、それに対応して吸入源である真空モータも斜めに設け、フィルタ部材の側面にはバイブレータを設け、真空源を駆動させようとしてスイッチを入れると、一定期間バイブレータを駆動させてフィルタに振動を与えた後、真空源を駆動させることが記載されている。また、ゴミ収集筒がフィルタ部材の下部に設けられた真空掃除機の構造が開示されている。
【０００７】
しかし、持ち歩いて掃除を行わなければならない掃除機の特性上、小型化が何より求められる掃除機分野において、サイクロン部、フィルタ部、真空モータが全て斜めになっており、これらの下端にフィルタ部材にて除去されるゴミが収集されるゴミ収集筒が設けられることから、掃除機構造が複雑になると同時に、全体的な掃除機の体積を増大させる問題点を抱えている。また、ゴミを捨てる場合も、サイクロン部にて収集されたゴミとフィルタ部材から除去されたゴミが別の収集空間に回収されるため個別に捨てなければならない不都合もある。
【特許文献１】特開２００４−１２１６２１号公報
【発明の開示】
【発明が解決しようとする課題】
【０００８】
本発明は、前述した問題点を解決するために案出されたもので、本発明の目的は、自動掃除されるフィルタ部の含まれた集塵装置をコンパクトに構成し、小型の真空掃除機を提供することにある。また、本発明の他の目的は、集塵装置にて収集されたゴミの除去が容易な真空掃除機を提供することにある。さらに、本発明の更なる目的は、構造が単純かつ組立工程が簡略化された真空掃除機を提供することにある。
【課題を解決するための手段】
【０００９】
前述した目的を達成するための本発明の真空掃除機は、掃除機本体と、前記本体に取り付けられ真空を発生させる吸入源と、前記本体に取り付けられ外部空気からゴミを分離し捕捉するフィルタ部を備えた集塵装置と、前記フィルタ部に付着しているゴミを払い落とすよう前記フィルタ部を選択的に振動させる振動ユニットと、を含み、前記フィルタ部は、傾斜面を有する支持体と、該支持体の傾斜面に斜めに設けられたフィルタ部材と、前記支持体と前記フィルタ部材に囲まれたゴミ格納空間と、を含む。
【００１０】
従って、真空掃除機の構造が簡単になり、小型化が図れる。
【００１１】
ここで、前記集塵装置は、ゴミの含まれた外部空気を回転させゴミを分離する、少なくとも１つのサイクロンを含むサイクロン部を更に含むことができ、前記フィルタ部の底面は、前記サイクロン部の底面とほぼ同一平面上に位置し、前記サイクロン部の最上面と前記フィルタ部の最上面の高さはほぼ同一に構成することができる。
【００１２】
また、前記フィルタ部は、前記サイクロン部の後面に前記サイクロン部と一体成型されることが好ましい。
【００１３】
また、前記フィルタ部は、前記ゴミ格納空間に格納されたゴミが再飛散してサイクロン部に流出されることを抑えるべく、前記ゴミ格納空間の内面に設けられたゴミ飛散防止部材を更に含むことが好ましく、前記ゴミ飛散防止部材は、少なくとも一部が前記ゴミ格納空間の入口の一部を塞ぐ形状で形成されることがよい。
【００１４】
また、前記振動ユニットは、前記掃除機本体の内部に形成される装着部に固定されるソレノイド本体と、前記ソレノイド本体から前記フィルタ部材に向って延び、前記ソレノイド本体の駆動時に前記フィルタ部材と接触／離隔される方向に往復移動する打撃部と、を含むことができ、前記フィルタ部材は、少なくとも１つのリブを含み、前記打撃部は前記リブを打撃することによって前記フィルタ部材を振動させることができる。
【００１５】
本発明は、前記振動ユニットの駆動周期および前記打撃部の往復速度を制御すべく、前記掃除機本体に内蔵される制御部を更に含むことが好ましい。
【００１６】
また、本発明の集塵装置は、少なくとも１つのサイクロンと、前記サイクロンで分離されたゴミが収容されるゴミ回収室と、該ゴミ回収室で収容されたゴミの除去が可能になるよう前記集塵装置の一方を開閉するドアユニットと、を含み、前記ドアユニットが開放する時、前記ゴミ回収室と前記ゴミ格納空間が共に開放されることが好ましい。
【発明の効果】
【００１７】
本発明によると、フィルタ部がゴミ格納空間を支持体内に含む三角型構造を有することによって、よりコンパクトに集塵装置が構成されるため、真空掃除機の小型化が実現できる。
【００１８】
また、本発明は、ドアユニットを設けた場合、サイクロン部で収集されたゴミとフィルタ部で収集されたゴミとを同時に捨てることができ、収集されたゴミを除去する際に便利となる。
【００１９】
また、フィルタ部とサイクロン部とが一体成型されている場合、構造および組立工程が簡略化される。
【００２０】
また、ゴミ飛散防止部材を設けた場合、ゴミの再飛散が抑えられてフィルタ部の捕捉効率が向上する。
【００２１】
また、フィルタ部材に付着したゴミを払い落とすための振動ユニットの振動源としてソレノイドを用いた場合、フィルタ部材に加えられる振動強度の調節が容易になる。
【００２２】
また、ソレノイドの前後の直線運動により振動を加える場合、掃除機用フィルタ部材に付着したゴミを払う効率が向上する。
【発明を実施するための最良の形態】
【００２３】
以下、添付の図面に基づいて本発明の好適な実施形態を詳述する。
【実施例】
【００２４】
図１ないし図３に示したように、本発明の一実施の形態に係る真空掃除機は、掃除機本体４０、吸入源３０、集塵装置３００、振動ユニット４００を有する。
【００２５】
真空掃除機は、吸入源３０により発生された吸入力を用いて後述する集塵装置の入口１１１から外部空気を吸込み、集塵装置３００内にてゴミの分離を行ってから綺麗な空気を外部に排出する。
【００２６】
このため、掃除機本体４０内には装着部１０が設けられ、この装着部１０には着脱自在に設けられる集塵装置３００と、装着部１０の一方に直線往復することで振動を発生させる振動ユニット４００とが固定されている。
【００２７】
集塵装置３００は、外部空気を吸入しゴミの含まれた空気からゴミを遠心分離した後、後述するフィルタ部材２２０により再度ゴミの捕捉を行う。なお、集塵装置３００は、サイクロン部１００とフィルタ部２００とを有する。
【００２８】
サイクロン部１００は、掃除機本体の装着部１０に設けられ、その排出側はフィルタ部２００と連結されている。図３に示すように、サイクロン部１００は、１つのサイクロンを備えているが、複数個設けて構成しても構わない。
【００２９】
サイクロン部１００は、図１ないし図３に基づくと、カバーユニット１１０、連結通路１１６、入口１１１、サイクロン室１１３、ゴミ回収室１１５を含んでなる。サイクロン部１００の底面１１０ａは、フィルタ部２００の底面２０６と同一の平面上に位置しており、ドアユニット１２０によりサイクロン部１００の底面１１０ａとフィルタ部２００の底面２０６が同時に開閉される。また、サイクロン部１００の最上端とフィルタ部の最上端は、ほぼ同じ高さで構成されている。このように、フィルタ部とサイクロン部を同一の大きさで構成することによって、真空掃除機の高さも同じ高さに形成され、さらにコンパクトに且つ簡単に製造することができる。また、本実施の形態では、サイクロン部の後面にフィルタ部が一体に装着されている。特に、一体に射出成型することにより、製造の簡略化及び組立工数の低減が図れる。
【００３０】
ここで、サイクロン部の構成は、公知の様々なサイクロン形態で構成することができる。図３の参照符号１１８は、サイクロン室１１３とゴミ回収室１１５とを連通するゴミ移動溝であり、１１４は浄化された空気が排出される排出パイプ、１１７は排出される空気を流入させるガイドリブである。
【００３１】
カバーユニット１１０は、サイクロンの上端に着脱自在に設けられ、カバーユニット１１０がサイクロン部１００の上端に装着されると、自然にサイクロン室１１３とゴミ回収室１１５を連結するゴミ移動通路が形成される。サイクロン室１１３内でゴミを含んだ空気から遠心分離されたゴミは、ゴミ移動通路を介してゴミ回収室１１５に移動される。カバーユニット１１０の入口１１１は、ブラシホース（図示せず）と連通する。
【００３２】
連結通路１１６は、サイクロン部１００の中央に形成され、サイクロン部１００の入口１１１と連結されて、この入口１１１へ流入されるゴミを含んだ空気をサイクロン室１１３に流入させる役割を果す。また、連結通路１１６には、微細ゴミを捕捉するメッシュフィルタ（Ｍ）が設けられるメッシュ装着孔１２５が形成され、このメッシュフィルタ（Ｍ）を介して連結通路１１６は吸入源３０と連通される。そして、連結通路１１６の底は、後述するドアユニット１２０が開けられると開放される。従って、後述するドアユニット１２０が開けられる場合、連結通路１１６の底に回収された異物が落下し排出される。
【００３３】
サイクロン室１１３は、サイクロン部１００内の連結通路１１６に対して図３において右側に形成され、遠心力を用いてゴミの含まれた空気からゴミを分離する。
【００３４】
このため、サイクロン室１１３の底面には、連結通路１１６を経て流入したゴミを含む空気がサイクロン室１１３内に流入されるようにする進入通路１１３ａと、遠心分離された空気が排出される排気パイプ１１４が形成される。
【００３５】
排気パイプ１１４は、ゴミを含んだ空気から分離された空気が抜け出る通路であって、円型の断面形状を有し、サイクロン室１１３の中央底に一定高さで突設されている。なお、排気パイプ１１４は、サイクロン室１１３と一体に、あるいは別の部品として製造される。
【００３６】
ゴミ回収室１１５は、サイクロン部１００内の連結通路１１６に対して図３において左側に形成され、サイクロン室１１３で分離されたゴミが回収される。
【００３７】
フィルタ部２００は、サイクロン部１００から排出される微細ゴミが含まれた空気からゴミを再度捕捉するものであり、サイクロン部１００の後面、即ち、排出側に設けられる。
【００３８】
フィルタ部２００は、フィルタ部材２２０、支持体２１０、ゴミ格納空間２５０を含んでなる。フィルタ部材２２０は、フィルタを固定させるリブ２１２を２つ有し、支持体２１０はサイクロン部１００の排出側に連結され、ほぼ直角三角形状に形成されている。支持体２１０は、フィルタ部材２２０が設けられる空間を提供し、空間の外周面にフレーム２１３を備える。フィルタ部材２２０は、重力方向に対して斜めにフレーム２１３へ固定されている。これに応じてフレームの一側も重力方向に対して斜めに形成される。
【００３９】
この場合、フィルタ部材２２０の上端で分離されたゴミが落下する際にフィルタ部材２２０の下端と接触しないことにより、ゴミ回収率が向上する。
【００４０】
ゴミ格納空間２５０は、フィルタ部材２２０及び支持体２１０に囲まれ、フィルタ部材２２０の下方に設けられ、フィルタ部材２２０から分離された後に落下するゴミを収容する役割を果す。
【００４１】
一方、前述したように、サイクロン部１００のゴミ回収室１１５に回収されたゴミとフィルタ部２００のゴミ格納空間２５０に回収されたゴミは、集塵装置３００の下部に設けられたドアユニット１２０により外部に排出することが可能となる。
【００４２】
ドアユニット１２０は、サイクロン部１００とフィルタ部２００の下端にヒンジ方式により設けられる。ドアユニット１２０に設けられたヒンジ１２０ａは、回転自在に設けられ、ドアユニット１２０を開閉できる。ドアユニット１２０を開けると、連結通路１１６とゴミ回収室１１５とフィルタ部２００のゴミ格納空間２５０の底面が開放されて回収されたゴミを外部に排出できる。
【００４３】
取っ手部１１９は、逆コの字形状を有し、サイクロン部１００の正面に設けられ（図３参照）、集塵装置３００を掃除機本体４０から取り外す時に作業者の手で把持する部分である。
【００４４】
ドアユニット１２０は、取っ手部１１９に設けられたボタン１１９ａを押してドアユニット１２０の一方と締結されているフック(図示せず)が後退すると同時に、ドアユニット１２０とフック（図示せず）の締結が解除されることにより、ドアユニット１２０の一方がヒンジ１２０ａを中心にして回転することで開けられる。
【００４５】
一方、ゴミ格納空間２５０には、内面の一部を突出させたゴミ飛散防止部材２３０が形成されている。
【００４６】
ゴミ飛散防止部材２３０は、ゴミが格納されるゴミ格納空間２５０の内側表面から一定長さほぼ垂直に突出し、そこからフィルタ部材２２０に向って曲げられた形状を有する。前記の曲げられた部分は、ゴミ格納空間２５０の入口の一部を塞ぐ形状である。この場合、ゴミ飛散防止部材２３０により、格納されたゴミが再飛散してサイクロン部１００側に流出することを抑えることができる。
【００４７】
なお、ゴミ飛散防止部材２３０の形状は前述したものに限定されず、ゴミの再飛散抑制効果が高い形状であればいずれの形状でもよい。
【００４８】
振動ユニット４００は、フィルタ部材２２０に付着したゴミに選択的に振動を加えることによってゴミをフィルタ部材２２０から離すために設けられる。
【００４９】
振動ユニット４００としてソレノイドの使用が好ましい。図４に示すように、振動ユニット４００は、ソレノイド本体４１０と打撃部４５０を含んでなる。
【００５０】
ソレノイド本体４１０は長方形の形状を有し、掃除機本体４０の装着部１０に固定されている。
【００５１】
ソレノイド本体４１０の内部はコイル（図示せず）が巻かれ、前記コイルに印加する電流の方向により打撃部が直線往復運動を行う。
【００５２】
打撃部４５０は、打撃軸４５０ｃ、打撃臀部４５０ａ、バネ４５０ｂを含む。
【００５３】
打撃軸４５０ｃは、ソレノイド本体４１０内に一部挿入され連結され、一方には打撃臀部４５０ａが固定されている。
【００５４】
振動ユニット４００の電源を入れると、ソレノイド本体４１０の直線往復運動が打撃臀部４５０ａに伝わる。
【００５５】
バネ４５０ｂは、打撃臀部４５０ａの直線往復運動による振動時、打撃臀部４５０ａに弾性力を提供するため打撃軸４５０ｃを取り囲むよう設けられている。
【００５６】
打撃軸４５０ｃは、リブ２１２に振動を加えるためにリブ２１２と一定の間離を空けて設けられる。振動ユニット４００の電源を入れると、打撃軸４５０ｃが振動しリブ２１２と接触し、その振動がリブ２１２に伝わるため、フィルタ部材２２０にもその振動が加えられる。
【００５７】
制御部２０は、振動ユニット４００の駆動周期および打撃部の往復速度を制御し、掃除機本体４０に内蔵される。制御部２０には、掃除する直前あるいは終了後に一定期間、振動ユニット４００が自動的に駆動するように制御するプログラムが内蔵され、選択的に振動ユニット４００に制御信号を送る。また、掃除中にモータを停止させてソレノイドを駆動させることでフィルタの掃除を行うこともできる。
【００５８】
以下、図１ないし図３の構成を有する本発明の一実施の形態に係る真空掃除機の動作について説明する。
【００５９】
吸入源３０により吸入力が発生すると、この吸入力は集塵装置を介して吸入ブラシ（図示せず）に伝達される。吸入ブラシより被掃除面のゴミが空気と共に吸入される。吸入されたゴミの含まれた空気は、矢印Ｆ方向（図３参照）に吸入ブラシを介してカバーユニット１１０の入口１１１に入り込む。
【００６０】
図３に示すように、連結通路１１６にてゴミの含まれた空気の一部は矢印Ｆ１方向にメッシュ装着孔１２５に設けられたメッシュフィルタ（Ｍ）を通過した後、サイクロン部１００の後面に設けられたフィルタ部２００を介して矢印Ｆ６方向に向って集塵装置３００から抜け出て、残りは矢印Ｆ２方向に向かってサイクロン室１１３の進入通路１１３ａに流入される。
【００６１】
このように流入された集塵空気は、サイクロン室１１３の底面からカバーユニット１１０の上端（図示せず）まで回転しながら上昇する。この際、ゴミは、遠心力によりＦ３方向に向ってサイクロン部１００の左側に設けられたゴミ回収室１１５に跳ね出される。
【００６２】
そして、ゴミと分離された空気は、カバーユニット１１０の上端とぶつかって矢印Ｆ５方向に下降し、サイクロン室１１３の底面の中央に設けられた排気通路１１４から抜け出る。
【００６３】
排気通路１１４からの空気は、矢印Ｆ６方向に向ってサイクロン部１００の後面に設けられたフィルタ部２００を介して集塵装置から抜け出る。
【００６４】
図１に示したように、サイクロン部１００からの空気は、フィルタ部２００に形成されたフィルタ部材２２０を通過するが、このとき、サイクロン室１１３にて捕捉されない微細ゴミの含まれた空気から再びフィルタ部材２２０によりゴミが捕捉される。
【００６５】
なお、フィルタ部材２２０に付着したゴミ量が増加すると、ゴミの一部が自重によって落下しゴミ格納空間２５０に収容され、残りのゴミはフィルタ部材２２０に付着した状態で残る。
【００６６】
一方、掃除の開始前や掃除終了後の一定期間、制御部２０の制御信号により振動ユニット４００が稼動する。
【００６７】
振動ユニット４００は、制御信号により電源が入れられると直線往復運動を行い、それによって振動が発生する。
【００６８】
このように発生された振動は、振動ユニット４００に備えられた打撃部４５０によりリブ２１２を打撃することでリブ２１２には振動が生じ、このリブ２１２の振動はリブ２１２に接しているフィルタ部材２２０に伝達されてフィルタ部材２２０に付着した残りのゴミはゴミ格納空間２５０に落下する。
【００６９】
この場合、本発明によると、フィルタ部材２２０が重力方向に向って斜めに設けられていることから、フィルタ部材２００の上端から落下するゴミをその下端に接触させないことで、ゴミのフィルタ部材２２０への再付着を防止し、捕捉効果を向上できる。
【００７０】
一方、ゴミ格納空間２５０の内面に形成されたゴミ飛散防止部材２３０により、ゴミ格納空間２５０に収容されたゴミが再飛散しサイクロン部１００に流出することを抑えることができる。
【００７１】
また、本発明によると、振動を加えるためにソレノイドを使用したので、電流を調節することで振動の強度を調節することが容易である。
【００７２】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００７３】
【図１】本発明の一実施の形態に係る真空掃除機の概略図である。
【図２】図１に図示された集塵装置を示す斜視図である。
【図３】図１に図示された集塵装置を示す平面図である。
【図４】図１に図示された振動ユニットを拡大した図面である。
【符号の説明】
【００７４】
１０        装着部
２０        制御部
３０        吸入源
４０        掃除機本体
１００      サイクロン部
１１０ａ      サイクロン部の底面
１１５      ゴミ回収室
１２０      ドアユニット
２００      フィルタ部
２０６      フィルタ部の底面
２１０      支持体
２１２      リブ
２２０      フィルタ部材
２３０      ゴミ飛散防止部材
２５０      ゴミ格納空間
３００      集塵装置
４００      振動ユニット
４１０      ソレノイド本体
４５０      打撃部
【図１】
2007111504.tif 000003
【図２】
2007111504.tif 000004
【図３】
2007111504.tif 000005
【図４】
2007111504.tif 000006